(57)【要約】      （修正有）【課題】端末装置間の通信品質の保証を行うＱｏＳ管理装置及び端末装置を提供する。【解決手段】ＱｏＳ管理装置は、着側端末の論理ＩＤに基づいて、取得した着側端末のＩＰアドレスを発側端末のＩＰアドレスと要求通信品質保証情報とともに経路計算手段に送り、算出された経路情報を発側端末へ送る論理ネットワーク通信手段と、ＩＰ網の経路情報を収集する経路情報収集手段と、発側端末及び着側端末のＩＰアドレスと、要求通信品質保証情報と、経路情報とから、要求通信品質を保証可能な端末間の経路を算出する経路計算手段と、算出された経路に対して通信品質制御を行うＱｏＳ制御手段と備え、端末装置は、論理ＩＤに基づいてＩＰアドレスを取得する物理アドレス取得手段と、取得したＩＰアドレスと要求通信品質情報を通知するアドレス通知手段と、指定された経路情報に基づいて経路を設定し通信を行う経路指定通信手段を備える。【選択図】        図１
2004248193.tif 000002
【特許請求の範囲】
【請求項１】
論理ネットワークの通信における端末装置間の通信の通信品質を保証する通信品質保証方法であって、ＯＳＩ参照モデルで定義されるレイヤ７にて構成される論理ネットワークを介して端末装置に接続されるネットワークＱｏＳ管理装置が、レイヤ７にて構成される論理ネットワークの中継ノードもしくはノードとして動作する論理ネットワーク通信機能を持ち、各端末が論理ネットワーク上のルーティングを行う論理ネットワーク構成基本部分に、ＱｏＳ管理装置と通信を行う機能および端末のＩＰアドレスをＱｏＳ管理装置へ通知する機能を持ち、
発側端末装置は、品質保証通信を行いたい着側端末の論理ＩＤおよび要求する通信品質保証の情報を自端末のＩＰアドレスとともにＱｏＳ管理装置へ通知し、
ＱｏＳ管理装置は、発側端末から受け取った着側端末の論理ＩＤに基づいて、着側端末のＩＰアドレスを問い合わせ、取得した着側端末のＩＰアドレスと、発側端末のＩＰアドレスと、要求通信品質保証情報と、事前に経路情報収集手段により収集された経路情報とから、レイヤ３における要求通信品質を保証可能な端末間の経路を経路計算手段により算出し、算出された経路情報を発側端末へ通知すると同時に、その経路に対する通信品質保証制御をＱｏＳ制御手段により行い、
発側端末は、通知された経路情報に基づいて着側端末との間にコネクションを確立することを特徴とする通信品質保証方法。
【請求項２】
通信品質保証実行時に、加入者データベースを参照して、通信品質保証を要求するユーザが加入者であることを確認することを特徴とする請求項１記載の方法。
【請求項３】
請求項１記載の通信品質保証方法を実施する通信システムであって、レイヤ７にて構成される論理ネットワークを介して端末装置に接続されるネットワークＱｏＳ管理装置と、レイヤ７にて構成される論理ネットワークを介してネットワークＱｏＳ管理装置及び他の端末装置に接続される端末装置を備え、
ＱｏＳ管理装置が、発側端末から、発側端末のＩＰアドレスと、品質保証通信を行いたい着側端末の論理ＩＤと、要求する通信品質保証の情報を受け取り、受け取った着側端末の論理ＩＤに基づいて、着側端末のＩＰアドレスを問い合わせ、取得した着側端末のＩＰアドレスを発側端末のＩＰアドレスと要求通信品質保証情報とともに経路計算手段に送り、算出された経路情報を発側端末へ送る論理ネットワーク通信手段と、ＩＰ網の経路情報を収集する経路情報収集手段と、発側端末及び着側端末のＩＰアドレスと、要求通信品質保証情報と、事前に経路情報収集手段により収集された経路情報とから、レイヤ３における要求通信品質を保証可能な端末間の経路を算出する経路計算手段と、算出された経路に対して通信品質制御を行うＱｏＳ制御手段と、端末装置に接続するためのネットワークインターフェースとを備え、
各端末装置が、既存の論理ネットワーク上のルーティングのための手段に加え、論理ＩＤに基づいてＩＰアドレスを取得する物理アドレス取得手段と、取得したＩＰアドレスと要求通信品質情報を通知するアドレス通知手段と、指定された経路情報に基づいて経路を設定し通信を行う経路指定通信手段を備えること、
を特徴とする論理ネットワークの通信における端末装置間の通信の通信品質の保証を行う通信システム。
【請求項４】
請求項１記載の通信品質保証方法に使用するネットワークＱｏＳ管理装置であって、
発側端末から、発側端末のＩＰアドレスと、品質保証通信を行いたい着側端末の論理ＩＤと、要求する通信品質保証の情報を受け取り、受け取った着側端末の論理ＩＤに基づいて、着側端末のＩＰアドレスを問い合わせ、取得した着側端末のＩＰアドレスを発側端末のＩＰアドレスと要求通信品質保証情報とともに経路計算手段に送り、算出された経路情報を発側端末へ送る論理ネットワーク通信手段と、
ＩＰ網の経路情報を収集する経路情報収集手段と、
発側端末及び着側端末のＩＰアドレスと、要求通信品質保証情報と、事前に経路情報収集手段により収集された経路情報とから、レイヤ３における要求通信品質を保証可能な端末間の経路を算出する経路計算手段と、
算出された経路に対して通信品質制御を行うＱｏＳ制御手段と、
端末装置と接続するためのネットワークインターフェースと、
を備えることを特徴とするＱｏＳ管理装置。
【請求項５】
品質保証通信を要求するユーザが加入者であることを確認する加入者データベースを備えることを特徴とする請求項４記載のネットワークＱｏＳ管理装置。
【請求項６】
前記ＱｏＳ制御手段と加入者データベースを、Ｐａｒｌａｙ，Ｊａｉｎ等のネットワーク制御機能と加入者データベースを備える既存のコントロールエージェントで代用することを特徴とする請求項５記載のネットワークＱｏＳ管理装置。
【請求項７】
請求項１乃至２に記載の通信品質保証方法に使用する端末装置であって、既存の論理ネットワーク上のルーティングのための手段に加え、論理ＩＤに基づいてＩＰアドレスを取得する物理アドレス取得手段と、取得したＩＰアドレスと要求通信品質情報を通知するアドレス通知手段と、指定された経路情報に基づいて経路を設定し通信を行う経路指定通信手段を備えることを特徴とする端末装置。
【請求項８】
ネットワークＱｏＳ管理装置が備えるコンピュータに、
発側端末から、品質保証通信を行いたい着側端末の論理ＩＤおよび要求する通信品質保証の情報を自端末のＩＰアドレスとともに受け取るステップと、
受け取った着側端末の論理ＩＤに基づいて着側端末のＩＰアドレスを問い合わせるステップと、
経路情報収集手段からＩＰ網の経路情報を収集するステップと、
取得した着側端末のＩＰアドレスと、発側端末から受け取った発側端末のＩＰアドレスと、要求通信品質保証情報と、経路情報収集手段から収集された経路情報とから、レイヤ３における要求通信品質を保証可能な端末間の経路を算出するステップと、
算出された経路に対して通信品質制御を行うステップと、
を実行させることを特徴とするネットワークＱｏＳ管理装置を実現するためのコンピュータプログラム。
【請求項９】
端末装置が備えるコンピュータに、
発側端末として機能するとき、自端末のＩＰアドレスと品質保証通信をしたい端末の論理ＩＤと要求通信品質保証情報とをＱｏＳ管理装置に通知するステップと、ＱｏＳ管理装置から通知される経路情報に基づいて経路を設定し通信を行うステップを実行させ、
着側端末として機能するとき、ＱｏＳ管理装置からの問い合わせに対しＩＰアドレスを取得し、ＱｏＳ管理装置へ通知するステップを実行させることを特徴とするコンピュータプログラム。
【請求項１０】
請求項８又は９記載のコンピュータプログラムを記録した記録媒体。
【発明の詳細な説明】
【０００１】
【発明の属する分野】
本発明は、ＯＳＩ参照モデルで定義されるレイヤ７におけるルーティングを用いた端末装置間の通信の品質を保証する方法、該方法を実施する通信システム及び該方法に使用するＱｏＳ管理装置及び通信端末に関するものである。
本発明はさらに該ＱｏＳ管理装置及び端末装置を実現するコンピュータプログラムにも関するものである。
【０００２】
【従来の技術】
Ｐ２Ｐのようなレイヤ７におけるネットワークトポロジーでの通信は、レイヤ３におけるルーティングを用いた通信よりもユーザに対して使いやすさを提供し、アプリケーション開発者に対してより簡単にアプリケーションを作成可能にする。そのためレイヤ７以下における接続の複雑性に関して、レイヤ７ネットワーク（論理ネットワーク）を構成する基本部分において隠蔽を行っており、ＩＰ網のプロトコルに一切依存しない。
【０００３】
ＴＣＰ／ＩＰにおいてはＡＴＭやＰＳＴＮのような様々な通信プロトコルを隠蔽し集約してきたが、ＴＣＰ／ＩＰ自体にもファイアウォールなどで柔軟なネットワークの接続性が失われている。
【０００４】
レイヤ７におけるネットワークトポロジーでの通信はＴＣＰ／ＩＰをさらに集約・隠蔽し、レイヤ７においては全ての端末（Ｐｅｅｒ）が対等に接続性を持つことを目的としている。
この結果としてレイヤ７におけるネットワークトポロジーでの通信においては同レイヤ上にマッピングされる端末及び中継ノードのみに基づいてルーティングおよび転送が行われ、レイヤ７以下のレイヤには依存しない（例えば、非特許文献１〜２参照）。
【０００５】
【非特許文献１】
ＬｉＧｏｎｇ、「Ｐｒｏｊｅｃｔ  ＪＸＴＡ：Ａ  ＴｅｃｈｎｏｌｏｇｙＯｖｅｒｖｉｅｗ」、ｊｘｔａ．ｏｒｇ  ｏｎ  Ａｐｒｉｌ  ２５，  ２００１  ［ｏｎｌｉｎｅ］
（ＵＲＬ：ｈｔｔｐ：／／ｊａｖａ．ｓｕｎ．ｃｏｍ／ｐｅｏｐｌｅ／ｇｏｎｇ／ｐａｐｅｒｓ／ｊｘｒａｖｉｅｗ．ｐｄｆ）検索日平成１５年１月２４日
【非特許文献２】
星合  隆成  外５名、「意味情報ネットワークアーキテクチヤ」、電子情報通信学会論文誌  Ｂ  Ｖｏｌ．Ｊ８４−Ｂ  Ｎｏ．３  ｐｐ．  ４１１−４２４、２００１年３月発行
【０００６】
【発明が解決しようとする課題】
上述のようにレイヤ７におけるネットワークトポロジーでの通信では下位にあるレイヤ３でのルーティングに依存しないために、レイヤ３におけるルーティングは非常に冗長な可能性が高い。また特にレイヤ７における全ての中継ノードはキャリア（通信事業者）が信頼性あるサービスとして提供するのではなく、基本的にはボランティアベースであるため中継ノードの永続性、信頼性が保証できず、レイヤ７にて構成されるネットワークの構成自体が非常に動的に変化しやすい。この結果としてインターネットを通過する通信の経路を予測することが非常に困難である。
これらの結果としてレイヤ７におけるネットワークトポロジーでの通信の通信品質を保証することができない。
本発明の目的は、レイヤ７におけるネットワークトポロジーでの通信の通信品質を保証する方法、該方法に使用するネットワークＱｏＳ管理装置及び端末装置、及びそれらのためのコンピュータプログラムを提供することにある。
【０００７】
【課題を解決するための手段】
本発明の論理ネットワークの通信における端末装置間の通信の通信品質を保証する通信品質保証方法は、レイヤ７にて構成される論理ネットワークを介して端末装置に接続されるネットワークＱｏＳ管理装置が、レイヤ７にて構成されるネットワークの中継ノードもしくはノードとして動作する論理ネットワーク通信機能を有し、各端末がレイヤ７論理ネットワーク構成基本部分に、ＱｏＳ管理装置と通信を行う機能および自端末のＩＰアドレスをＱｏＳ管理装置へ通知する機能をもつ。
【０００８】
レイヤ７でのネットワークトポロジーにおける通信を行う発側端末は、宛先である着側端末の論理ＩＤと、要求する通信品質の情報を自端末のＩＰアドレスとともにＱｏＳ管理装置へ通知する。
【０００９】
通知を受けたＱｏＳ管理装置は、着側端末の論理ＩＤに基づいて着側端末のＩＰアドレスを問い合わせ、着側端末のＩＰアドレスを取得し、この着側ＩＰアドレスと、着側端末のＩＰアドレスと、要求通信品質と、事前に経路情報収集手段より収集された経路情報とから、レイヤ３における要求通信品質を保証し得る端末間の経路を経路計算手段により算出し、算出された経路に対する通信品質制御をＱｏＳ制御手段により行うと同時に、この経路情報を発側端末へ通知する。
なお、この際には、加入者データベースを参照し、通信品質保証を要求するユーザが加入者であることを確認する。
【００１０】
発側端末はこの経路情報に基づいた新たなコネクションを宛先端末との間で確立する。
これによりレイヤ７におけるネットワークトポロジーに基づく通信においても、通信品質を保証することが可能となる。
なお、ＱｏＳ制御手段と加入者データベースはＰａｒｌａｙ、Ｊａｉｎ等のネットワーク制御機能を備える既存のコントロールエージェントを用いて実現しても良い。
【００１１】
本発明の通信品質保証方法を実施する通信システムは、レイヤ７にて構成される論理ネットワークを介して端末装置に接続されるネットワークＱｏＳ管理装置と、レイヤ７にて構成される論理ネットワークを介してネットワークＱｏＳ管理装置及び他の端末装置に接続される端末装置を備え、
ＱｏＳ管理装置が、発側端末から、発側端末のＩＰアドレスと、品質保証通信を行いたい着側端末の論理ＩＤと、要求する通信品質保証の情報を受け取り、受け取った着側端末の論理ＩＤに基づいて、着側端末のＩＰアドレスを問い合わせ、取得した着側端末のＩＰアドレスを発側端末のＩＰアドレスと要求通信品質保証情報とともに経路計算手段に送り、算出された経路情報を発側端末へ送る論理ネットワーク通信手段と、ＩＰ網の経路情報を収集する経路情報収集手段と、発側端末及び着側端末のＩＰアドレスと、要求通信品質保証情報と、事前に経路情報収集手段により収集された経路情報とから、レイヤ３における要求通信品質を保証可能な端末間の経路を算出する経路計算手段と、算出された経路に対して通信品質制御を行うＱｏＳ制御手段と、端末装置に接続するためのネットワークインターフェースとを備え、
各端末装置が、既存の論理ネットワーク上のルーティングのための手段に加え、論理ＩＤに基づいてＩＰアドレスを取得する物理アドレス取得手段と、取得したＩＰアドレスと要求通信品質情報を通知するアドレス通知手段と、指定された経路情報に基づいて経路を設定し通信を行う経路指定通信手段を備えること、
を特徴とする。
【００１２】
本発明のＱｏＳ管理装置は、
発側端末から、発側端末のＩＰアドレスと、品質保証通信を行いたい着側端末の論理ＩＤと、要求する通信品質保証の情報を受け取り、受け取った着側端末の論理ＩＤに基づいて、着側端末のＩＰアドレスを問い合わせ、取得した着側端末のＩＰアドレスを発側端末のＩＰアドレスと要求通信品質保証情報とともに経路計算手段に送り、算出された経路情報を発側端末へ送る論理ネットワーク通信手段と、
ＩＰ網の経路情報を収集する経路情報収集手段と、
発側端末及び着側端末のＩＰアドレスと、要求通信品質保証情報と、事前に経路情報収集手段により収集された経路情報とから、レイヤ３における要求通信品質を保証可能な端末間の経路を算出する経路計算手段と、
算出された経路に対して通信品質制御を行うＱｏＳ制御手段と、
端末装置と接続するネットワークインターフェースと、
を備えることを特徴とする。
【００１３】
本発明の端末装置は、既存の論理ネットワーク上のルーティングのための手段に加え、論理ＩＤに基づいてＩＰアドレスを取得する物理アドレス取得手段と、取得したＩＰアドレスと要求通信品質情報を通知するアドレス通知手段と、指定された経路情報に基づいて経路を設定し通信を行う経路指定通信手段を備えることを特徴とする。
【００１４】
【発明の実施の形態】
図１はＯＳＩ参照モデルで定義されるレイヤ７によって構成される論理ネットワークにおける端末装置間の通信の通信品質を保証する通信品質保証方法及びシステムに使用するネットワークＱｏＳ管理装置及び端末装置の実施例を示す。
本例はＰ２ＰのプラットフォームであるＪＸＴＡ、ＩＰ網を対象とする。
【００１５】
本例のネットワークＱｏＳ管理装置１は、端末装置と制御するためのネットワークインターフェース１１と、加入者データベース１２と、論理ネットワーク（ＪＸＴＡ）通信手段１３と、ＩＰ網の経路情報取得手段１４と、ＱｏＳ制御手段１５と、経路計算手段１６とを備える。
【００１６】
また、本例ではＪＸＴＡ  ピアである端末装置２には、本発明による通信品質保証を実行可能にするために、論理ネットワーク上のルーティングのための論理ネットワーク構成基本部分２０（ＪＸＴＡ  Ｃｏｒｅ）に、従来の通信機能部分、Ｐｅｅｒ  Ｇｒｏｕｐ、Ｐｅｅｒ  Ｐｉｐｅｓ、Ｐｅｅｒ  Ｍｏｎｉｔｏｒｉｎｇ、Ｓｅｃｕｒｉｔｙ、に加えて、本発明の通信品質保証を実行するための手段として、経路指定通信手段２１と、物理アドレス取得手段２２と、アドレス通知手段２３を追加する。
【００１７】
本発明の通信品質保証方法の動作シーケンスを図２に示す。事前にサービスのディスカバリが行われ、ピアＡとピアＢ間でサービス享受のための通信を行いたいことが明らかであり、その通信が実時間性を要求するものであった場合、ピアＡはアプリケーションおよびユーザ側の判断にて、実時間性を保証する通信を要求する。その際にピアＡのＪＸＴＡ  Ｃｏｒｅに追加された物理アドレス取得手段２２よりピアＡのＩＰアドレスを取得し、取得したＩＰアドレスと品質保証通信を行いたい宛先ノードの論理ネットワークＩＤ（本例ではＪＸＴＡ−ＩＤで、この場合には「ピアＢ」）をアドレス通知手段２３によりその通信に要求される品質保証レベル情報とともにＪＸＴＡネットワーク上のランデブー（Ｒｅｎｄｅｚｖｏｕｓ）であるコントロールエージェントＣＡとして機能を有するＱｏＳ管理装置へ通知する。なおこのとき通知されるＩＰパケットとしては図３に示すパケットフォーマットとなる。
【００１８】
ＱｏＳ管理装置は、論理ネットワーク通信手段１３により、受け取った発側端末のＩＰアドレスと要求通信品質レベル情報を経路計算手段１６に送るとともに、ＪＸＴＡネットワークを介して、受け取ったピアＢの論理ＩＤに基づいて、ピアＢにそのＩＰアドレスを問い合わせ、ピアＢにて、追加された物理アドレス取得手段２２から自端末のＩＰアドレスを取得し、経路計算手段１６に送る。経路計算手段１６は、発側ピアＡ，着側ピアＢのＩＰアドレスと、その通信の品質保証要求レベルと、事前に経路情報収集手段１４により収集された経路情報とから、その通信に使用するＩＰ網における最適な経路を経路計算手段１６により算出する。
【００１９】
この計算時において、例えばネットワークが小規模であり、ネットワーク全体のトポロジーを経路情報収集手段１４が容易に把握できる場合においては、全経路から最適なレイヤ３における経路を経路計算手段１６により算出し、その経路をピア  Ａに通知するとともに、その経路に対する通信品質保証をＱｏＳ制御手段１５から行う。
【００２０】
ネットワークが大規模になり、経路情報収集手段１４がネットワーク全体のトポロジーを把握するのが困難な場合には、ＩＰ網におけるルーティングのデフォルトルートとして経路情報収集手段または、経路情報収集手段管理下にある高レイヤスイッチを指定し、経路情報収集手段もしくは高レイヤスイッチがＪＸＴＡネットワークの通信の中継を行う。中継を行うことで、ＪＸＴＡネットワークの通信がＩＰ網においてどのような経路を通過するかを経路情報収集手段が容易に把握する事が可能になる。経路が把握できれば、経路計算手段がそれらの経路から最適な経路を算出し、その経路に対して通信品質保証をＱｏＳ制御手段から行う。
【００２１】
また大規模になった際にもう１つの実現方法としては、端末間で個々のＩＰアドレスを交換し、相互にＴＣＰ／ＩＰにおける経路を例えばトレースルート（Ｔｒａｃｅｒｏｕｔｅ）などを使用して調べ、その情報を交換し、その結果から経路計算手段により得られる経路情報をＱｏＳ制御手段に通知することによって、ＱｏＳ制御手段が該当する経路に対して通信品質保証を行うことも可能である。
【００２２】
上述の方法で通信品質保証が行われた経路情報を得たクライアント側のピア  Ａは、その情報を元に、ＪＸＴＡネットワークで新たな転送路であるパイプを作成する。通常、パイプはＪＸＴＡネットワーク上で、ピアＡに直接的に接続関係を持つＲｅｌａｙ／Ｒｅｎｄｅｚｖｏｕｓを中継し、目的のピアＢに対して接続される。この時、ＩＰ網上ではパケットの送信元アドレスはピアＡ、宛先アドレスは直接的に接続関係を持つＲｅｌａｙ／Ｒｅｎｄｅｚｖｏｕｓとなり、ＩＰ網上においては、複数回のセッションの転送を繰り返し、最終的に目的のピアＢまで辿り着くが、経路計算手段から経路情報を得たピアはその経路情報に沿ったパイプを作成する。このパイプはＪＸＴＡネットワークにおいては目的ピアまで何も中継しない直接的な接続を持ち、ＩＰ網上においてもピア間では直接的なセッションを持つ。
【００２３】
大規模なネットワークにおいて経路情報収集手段もしくは経路情報収集手段管理下にある高レイヤスイッチを一度だけ中継し目的ピアまで接続される場合、ＪＸＴＡネットワークにおいてはＪＸＴＡにマッピングされる経路情報収集手段もしくは高レイヤスイッチを経由し、ＴＣＰ／ＩＰレイヤにおいてはＣＡもしくは高レイヤスイッチでセッションを中継して接続される。
【００２４】
大規模であるが、経路情報収集手段もしくは経路情報収集手段管理下にある高レイヤスイッチを中継しない場合、ピア同士がレイヤ３における経路を測定し、その経路をＣＡに通知する場合では、ＪＸＴＡネットワーク上では何も中継しないダイレクトなパイプを作成する。なおこのパイプは、単純にはＴＣＰネットワークにおける宛先アドレスを詳細に指定することにより作成可能である。
【００２５】
これによりレイヤ３におけるルーティングの冗長性が大幅に削減されるとともに、通過する経路が明確になることで、ＱｏＳ制御を行うことが可能になる。
【００２６】
上述したＱｏＳ保証については、本実施例においてはＤｉｆｆｓｅｒｖ  ｏｖｅｒ  ＭＰＬＳにおけるＡｄｍｉｓｓｉｏｎ  ｃｏｎｔｒｏｌ制御を経路計算時に行っている。しかし本発明はＱｏＳ保証方法をＤｉｆｆｓｅｒｖｅ  ｏｖｅｒ  ＭＰＬＳに限定するのではなく、様々なＱｏＳ保証方法をそのＡｄｍｉｓｓｉｏｎ  Ｃｏｎｔｒｏｌと連携して使用することが可能である。
【００２７】
なお、上述したＱｏＳ管理装置のＱｏＳ制御手段と加入者データベースは、Ｐａｒｌａｙ，ＪａｉｎといったＯｐｅｎ  ＡＰＩやＩＰ網におけるルータ等のレイヤ３以下の中継ノードに対してＡｄｍｉｓｓｉｏｎ  Ｃｏｎｔｒｏｌを行うＱｏＳ管理機能を用いてＩＰ網のネットワーク制御管理を行う既存のコントロールエージェントで代用することができる。
【００２８】
以上、本発明の通信品質保証方法の手順及び該方法に使用するＱｏＳ管理装置及び端末装置の機能について説明したが、これらの手順又は機能はコンピュータによって実行又は実現することができ、本発明はこれらの処理手順又は機能を実行又は実現させるためのコンピュータプログラム及び該プログラムを記録した記録媒体も提供するものである。
【００２９】
【発明の効果】
本発明によれば、品質保証通信を行いたい端末の論理アドレスに基づいてレイヤ３における通信品質の保証を行うことができるので、論理ネットワーク上の通信においても、通信品質の保証を行うことが可能になる。
【図面の簡単な説明】
【図１】ＯＳＩ参照モデルで定義されるレイヤ７によって構成される論理ネットワークにおける端末装置間の通信の通信品質を保証する通信品質保証方法に使用するネットワークＱｏＳ管理装置及び端末装置の実施例を示す図である。
【図２】本発明の通信品質保証方法の動作シーケンスを示す図である。
【図３】本発明の通信品質保証方法で使用するパケットフォーマットを示す図である。
【符号の説明】
１    ＱｏＳ管理装置
１１  ネットワークインターフェース
１２  加入者データベース
１３  論理ネットワーク通信手段
１４  経路情報収集手段
１５  ＱｏＳ制御手段
１６  経路計算手段
２    端末装置
２１  経路指定通信手段
２２  物理アドレス取得手段
２３  アドレス通知手段
【図１】
2004248193.tif 000003
【図２】
2004248193.tif 000004
【図３】
2004248193.tif 000005